(57)【要約】【課題】簡単な挿抜操作によって、所望する量の粉体を容易かつ正確に計り取ることができるとともに、計り取った粉体を一度に移し入れることが可能な粉体計量器を提供する。【解決手段】緩容積と密容積の差が、緩容積の１０％以上の嵩高い粉体を計り取るための粉体計量器１０であって、両端が開口する筒状の収容部１を備え、収容部１の一端の開口を粉体の取入口２とするとともに、他端の開口を粉体の取出口３とし、取出口３の面積を取入口２の面積以上の大きさとし、収容部１の側壁１１は、少なくとも一部が内部に取り入れた粉体を視認するための透明又は半透明の素材からなり、粉体を計量するための目盛７を有する構成としてある。【選択図】図１
2014025703.tif 000002
【特許請求の範囲】
【請求項１】
緩容積と密容積との差が、緩容積の１０％以上の嵩高い粉体を計り取るための粉体計量器であって、
前記粉体を収容する筒状の収容部と、前記収容部の一端に設けられた前記粉体の取入口とを備え、
前記収容部の側壁は、少なくとも一部が内部に取り入れた前記粉体を視認するための透明又は半透明の素材からなり、粉体を計量するための目盛を有することを特徴とする粉体計量器。
【請求項２】
前記収容部の一端に、前記収容部の側壁よりも内側に向かって傾斜する側壁からなるガイド部を設け、前記ガイド部の先端の開口を、前記粉体の取入口とした請求項１に記載の粉体計量器。
【請求項３】
前記収容部の他端に前記粉体の取出口を設けた請求項１又は２に記載の粉体計量器。
【請求項４】
前記取出口の面積を前記取入口の面積よりも大きくし、前記収容部の側壁を、前記取入口から前記取出口に向かって末広がりに傾斜させた請求項３に記載の粉体計量器。
【請求項５】
前記粉体の取入口の面積を５０〜１０００ｍｍ２とした請求項１〜４のいずれか１項に記載の粉体計量器。
【請求項６】
前記粉体の取入口の面積を５０〜２５０ｍｍ２とした請求項１〜４のいずれか１項に記載の粉体計量器。
【請求項７】
前記粉体が粉ミルクであり、請求項１〜６のいずれか１項に記載の粉体計量器を前記粉ミルクの計量に用いることを特徴とする粉ミルク用計量器
【請求項８】
請求項７に記載の粉ミルク用計量器と、容器入りの前記粉ミルクとをセットにした特徴とする粉ミルク製品。
【発明の詳細な説明】
【技術分野】
【０００１】
本発明は、例えば、一の容器に収容された嵩高い粉体を計り取って、他の容器に移し替えるための計量器に関し、特に、粉ミルクを計量するのに好適な粉ミルク用計量器及びこれをセットにした粉ミルク製品に関する。
【背景技術】
【０００２】
粉ミルクは、母乳の補助品又は代替品として大きな役割を担っている。粉ミルクの計量は、缶などの容器内に入っている粉ミルクを付属の計量スプーンで計り取ることが一般的である。計量スプーンは、すりきり１杯で一定量の粉ミルクを計り取ることができる。例えば、出来上がりのミルク量が８０ｍｌならスプーン４杯分、１００ｍｌならスプーン５杯分、１６０ｍｌならスプーン８杯分、２００ｍｌならスプーン１０杯分の粉ミルクを、繰り返し容器から計り取って哺乳瓶に移し入れていた。
【先行技術文献】
【特許文献】
【０００３】
【特許文献１】特開２００１−９１３２９号公報
【発明の概要】
【発明が解決しようとする課題】
【０００４】
しかし、従来の計量スプーンは、１杯で一定量の粉ミルクを計り取ることしかできなかったため、１杯分を計量するごとに、容器内の粉ミルクを掬う手間、すりきる手間、哺乳瓶に移し入れる手間が掛かる。このため、粉ミルクの計量に時間が掛かり、計量の途中で計り取った回数を忘れてしまい、また、哺乳瓶に移し入れる際に粉ミルクをこぼしてしまうという問題があった。特に、生後３ヶ月までの乳児は、昼夜を問わず３〜４時間ごとに授乳をしなければならず、睡眠不足や疲労傾向にある母親にとって、従来の計量スプーンによる粉ミルクの計り取りは煩わしく、正確な計量が難しかった。
【０００５】
＜特許文献１＞
このような従来の計量スプーンの手間を解消すべく、特開２００１−９１３２９号公報（特許文献１）には、筒の空洞内に段階的に位置の変わる底面を設けた構成の粉ミルク用計量器が提案されている。
この粉ミルク用計量器は、特許文献１の図１に示されているように、底面（２）を計量したい分量の位置に移動し、取っ手（３）を持って、筒（１）の開口部を粉ミルクの缶の中に突き刺して使用する。これにより、粉ミルクが底面（２）の部分に突き当たり、欲しい分量の粉ミルクを一度で計り取ることができる、と特許文献１には記載されている（特許文献１の段落［０００７］を参照）。
【０００６】
しかし、本発明者が、特許文献１の粉ミルク用計量器を自作し、実際に使用してみたところ、筒（１）の直径をかなり小さくしなければ、粉ミルクを筒（１）内に留めることができないことが判明した。このため、特許文献１の粉ミルク用計量器で、必要な量の粉ミルクを計量するためには、筒（１）の直径を小さくしなければならない。しかし、粉ミルクを留めることが可能な程度に筒（１）の直径小さくすると、筒（１）内に粉ミルクを取り入れるときの摩擦抵抗が過大になり、容器内の粉ミルクに筒（１）をほとんど挿し込むことができず、特許文献１に記載されているように、計量器の底面まで粉ミルクを収容することはできなかった。結局、特許文献１の粉ミルク用計量器は、発明として完成しておらず、上述した従来の計量スプーンの問題点を何ら解決するものではない。
【０００７】
本発明は、上記問題点に鑑みてなされたものであり、簡単な挿抜操作によって、所望する量の粉体を容易かつ正確に計り取ることができるとともに、計り取った粉体を一度に移し入れることが可能な粉体計量器、粉ミルク用計量器及び粉ミルク製品の提供を目的とする。
【課題を解決するための手段】
【０００８】
上記目的を達成するために、本発明の粉体計量器は、緩容積と密容積との差が、緩容積の１０％以上の嵩高い粉体を計り取るための粉体計量器であって、前記粉体を収容する筒状の収容部と、前記収容部の一端に設けられた前記粉体の取入口とを備え、前記収容部の側壁は、少なくとも一部が内部に取り入れた前記粉体を視認するための透明又は半透明の素材からなり、粉体を計量するための目盛を有する構成としてある。
【０００９】
上記構成からなる本発明の粉体計量器は、例えば、缶などの容器に収容された嵩高い粉体に、本粉体計量器の一端側を挿し込むことにより計量を行う。すなわち、本粉体計量器を容器内の粉体に挿し込むと、一端の取入口から筒状の収容部内に所定量の粉体が取り入れられる。
【００１０】
収容部には一又は複数の目盛が付してあり、収容部内に取り入れた粉体の表面をいずれかの目盛に到達させることで、所望する量の粉体を計り取ることができる。１回の挿し込みで、所望する量の粉体を収容部内に取り入れることができる場合は、所望する目盛のところまで、本粉体計量器を容器内の粉体に挿し込み、その後、本粉体計量器を容器内の粉体から抜き取ればよい。１回の挿抜で所望する量の粉体を計り取ることができる。
【００１１】
一方、１回の挿し込みで、所望する量の粉体を収容部内に取り入れることができない場合は、本粉体計量器の挿し込み及び抜き取りを繰り返せばよい。本粉体計量器を容器内の粉体に挿抜する度に、粉体が収容部内に取り入れられるので、このような挿抜操作の繰り返しによって、所望する量の粉体を簡単かつ迅速に計り取ることができる。また、本粉体計量器の挿し込み量を調整することで、収容部内に取り入れた粉体の表面を所望する目盛に容易に一致させることができる。これにより、所望する量の粉体を容易かつ正確に計り取ることができる。
【００１２】
このような本発明の粉体計量器によれば、１回又は複数回の挿抜操作により、所望する量の粉体が収容部内に計り取ることができ、いずれの場合でも計り取った粉体を一度に他の容器などに移し入れることが可能である。したがって、上述した従来の計量スプーンの問題点は、本発明の粉体計量器によって全て解決することができる。
【００１３】
好ましくは、前記収容部の一端に、前記収容部の側壁よりも内側に向かって傾斜する側壁からなるガイド部を設け、前記ガイド部の先端の開口を、前記粉体の取入口とした構成にするとよい。
【００１４】
上記構成によれば、収容部内に取り入れた粉体をガイド部により保持することができ、取入口からの粉体の抜け出しや溢れを効果的に防止し、より正確かつ迅速な計量が可能となる。特に、ガイド部を設けることにより、より少ない量の粉体を収容部内に保持することができるようになり、容器内の粉体の残量が少ない場合でも、本粉体計量器を用いた計量が可能となる。
【００１５】
好ましくは、前記収容部の他端に前記粉体の取出口を設けた構成にするとよい。このような構成によれば、筒状の収容部の一端の開口を粉体の取入口、他端の開口を粉体の取出口としているので、収容部の他端を下向きに傾けるだけで、計り取った粉体を筒に沿って取出口へ案内することができ、計り取った粉体を溢さずに他の容器などに移し入れることが可能である。
【００１６】
好ましくは、前記取出口の面積を前記取入口の面積よりも大きくし、前記収容部の側壁を、前記取入口から前記取出口に向かって末広がりに傾斜させた構成にするとよい。
【００１７】
上記構成によれば、取出口から取入口に向かって収容部の容積が小さくなるので、取入口を下向きにしたときに、収容部内の粉体が取入口から溢れにくくなり、粉体をより正確に計り取ることができる。一方、取入口から取出口に向かって収容部の容積が大きくなるので、取出口を下向きにしたときに、収容部内の粉体が取出口から出やすくなり、計り取った粉体をスムーズに取り出すことが可能となる。
【００１８】
好ましくは、前記粉体の取入口の面積を５０〜１０００ｍｍ２とした構成にするとよい。
【００１９】
本発明者が鋭意検討した結果、粉体の取出口の面積を上記の数値範囲内とすることで、本発明が対象とする嵩高い粉体が、筒状の収容部内に留まりやすくなり、より正確な計量が可能となる（下記表１の実施例１〜１３を参照）。なお、取入口の面積が５０ｍｍ２より小さいと、容器内の粉体に挿し込むときの抵抗が増えてしまい、１回の挿し込みで収容部内に取り入れられる粉体の量が少なくなる。一方、取入口の面積が１０００ｍｍ２を超えると、収容部内に粉ミルクを安定的に保持できなくなる。
【００２０】
ここで、収容部の一端にガイド部を設ける構成とした場合は、粉体の取入口の面積を１００〜５００ｍｍ２の範囲内とすることが、より好ましい。取入口の面積を１００〜５００ｍｍ２とすることで、より多くの粉体を収容部内に取り入れることができ、この粉体をガイド部によって安定的に保持することが可能である（下記表１の実施例１０及び１３を参照）。
【００２１】
好ましくは、前記粉体の取入口の面積を５０〜２５０ｍｍ２とした構成にするとよい。
【００２２】
収容部の一端にガイド部を設けず、かつ収容部の側壁を末広がりに傾斜させない構成とした場合でも、粉体の取入口の面積を５０〜２５０ｍｍ２の範囲内とすることで、収容部内に粉体を保持することができるようになる（下記表１の実施例１及び２を参照）。また、収容部の一端にガイド部を設けた構成、及び／又は、収容部の側壁を末広がりに傾斜させた構成とした場合でも、粉体の取入口の面積を５０〜２５０ｍｍ２の範囲内とすることで、収容部内に粉体をより良好に保持することができるようになる（下記表１の実施例３、４、８及び９を参照）。
【００２３】
上記目的を達成するために、本発明の粉ミルク用計量器は、上述した嵩高い粉体が粉ミルクであり、上述したいずれかの本発明に係る粉体計量器を前記粉ミルクの計量に用いる構成としてある。また、本発明の粉ミルク製品は、前記粉ミルク用粉体計量器と、容器入りの前記粉ミルクとをセットにした構成としてある。
【００２４】
上述したように、本発明の粉体計量器は、１回又は複数回の挿抜操作により、所望する量の粉体が収容部内に計り取ることができ、いずれの場合でも計り取った粉体を一度に他の容器などに移し入れることが可能である。
【００２５】
したがって、従来の粉ミルク製品に付属されていた計量スプーンに替えて、本発明の粉体計量器を粉ミルクの計量に用いれば、従来の計量スプーンにおける、１杯分を計量するごとに、容器内の粉ミルクを掬う手間、すりきる手間、哺乳瓶に移し入れる手間を全てなくすことができ、粉ミルクを計量するときの煩雑さを大幅に解消することが可能となる。
【発明の効果】
【００２６】
以上のように、本発明の粉体計量器によれば、簡単な挿抜操作によって、所望する量の粉体を容易かつ正確に計り取ることができるとともに、計り取った粉体を一度に移し入れることが可能となる。したがって、本発明の粉体計量器を粉ミルク用計量器として用いれば、従来の計量スプーンの煩雑な手間が全て解消され、出産後の育児に貢献することができる。
【図面の簡単な説明】
【００２７】
【図１】本発明の実施形態に係る粉ミルク用計量器を示すものであり、同図（ａ）は取出口を水平にした粉ミルク用計量器の正面図、同図（ｂ）は取出口を傾斜させた変更例を示す概略図である。
【図２】粉ミルク用計量器の取入口付近の部分断面図である。
【図３】粉ミルク用計量器を容器内の粉ミルクに挿し込んだ状態を示す斜視図である。
【図４】同図（ａ）〜（ｄ）は、粉ミルク用計量器を用いた粉ミルクの計量方法の一連の工程を示す説明図である。
【図５】同図（ａ）〜（ｃ）は、図４（ａ）〜（ｄ）に続く粉ミルクの計量方法の一連の工程を示す説明図である。
【図６】粉ミルク用計量器で計量した粉ミルクの取出工程を示す斜視図である。
【図７】粉ミルクを計量する際の微調整方法を示す説明図である。
【図８】同じく粉ミルクを計量する際の微調整方法を示す説明図である。
【図９】同じく粉ミルクを計量する際の微調整方法を示す説明図である。
【００２８】
以下、本発明の実施形態に係る粉体計量器について図面を参照しつつ説明する。なお、以下の実施形態では、本発明の粉体計量器を粉ミルクの計量器に用いた場合について説明するが、本発明の粉体計量器は、粉ミルク用に限らず、工業、食品、医薬、医療等の分野で取り扱われている、嵩高い粉体の計量に広く適用することが可能である。本発明の適用対象となる粉体については、後に詳述する。
【００２９】
＜全体構成＞
図１（ａ）において、粉ミルク用計量器１０は、両端が開口した筒状の収容部１を備えている。本実施形態の収容部１は、直径が図中下方から上方にわたって大きくなり、側壁１１が中心軸に対して傾斜する円筒状の外形を有する。収容部１の先端（図中の下方）には、境界線であるエッジ９を境にして、収容部１の側壁１１よりも内側に向かって傾斜する側壁１５からなるガイド部５が連成してある。
【００３０】
本実施形態では、収容部１及びガイド部５を、プラスチックやガラスなどの透明又は半透明の素材により均一の肉厚で一体成形している。ガイド部５の先端の小径開口は、粉ミルクの取入口２となっている。一方、収容部１の後端（図中の上方）の大径開口は、粉ミルクの取出口３となっている。
【００３１】
なお、本実施形態では、収容部１とガイド部５とを一体成形で連成しているが、これに限定されるものではなく、収容部１の先端に、別部材のガイド部を接着、係合、嵌合、圧入等により結合させる構成としてもよい。
【００３２】
以下、粉ミルク用計量器１０を構成する収容部１及びガイド部５について、図１（ａ）、（ｂ）及び図２を参照しつつ詳述する。説明の便宜上、収容部１の中心軸と平行な方向をＹ軸、このＹ軸に直交する方向をそれぞれＸ軸及びＺ軸と定義し、これらＸ、Ｙ、Ｚ軸を図１（ａ）及び図２中に示す。
【００３３】
＜収容部＞
図１（ａ）に示すように、収容部１の側壁１１は、中心軸に対して傾斜しており、側壁１１の内部に形成された空洞は、図中のＸＹ平面から見て断面略台形状となっている。収容部１の側壁１１には、「１００ｍｌ」、「１５０ｍｌ」及び「２００ｍｌ」の表示に対応する３つの目盛７、７、７が付してある。これら「１００ｍｌ」、「１５０ｍｌ」及び「２００ｍｌ」の表示は、乳児が１回に飲むミルクの量を示すものであり、各目盛７、７、７は、それぞれ「１００ｍｌ」、「１５０ｍｌ」及び「２００ｍｌ」のミルクを作るために必要な粉ミルクの量を示している。
【００３４】
なお、本実施形態では、５０ｍｌ間隔で３つの目盛７、７、７を設けたが、例えば、定規のように１ｍｍ、１ｃｍ等の細かい間隔で、収容部１の一端から他端にわたって目盛７、７、７…を付してもよい。このような構成にした場合には、本発明の粉体計量器によって任意の量の粉体を計量することが可能となる。
【００３５】
上述したように、収容部１をプラスチックやガラスなどの透明又は半透明の素材で形成してあるので、収容部１内に取り入れた粉ミルクの量を、透明又は半透明の側壁１１を通じて視認することができる。そして、いずれかの目盛７まで粉ミルクを取り入れることで、必要な量の粉ミルクを計量することが可能となっている。なお、収容部１の全部が透明又は半透明でなくても、収容部１の一部だけを透明又は半透明にして、収容部１内に取り入れた粉ミルクを視認可能としてもよい。
【００３６】
ここで、本発明者が市場調査を行ったところ、各社の粉ミルク製品ごとに、１回分のミルクを作るのに必要な粉ミルクの量が若干異なることが分かった。例えば、２００ｍｌのミルクを作るのに必要な粉ミルクの量は、各社の粉ミルク製品の間で約２５〜２７ｇの幅があった。また、各社の粉ミルク製品ごとに、粉ミルクの嵩高さが若干異なっていた。このように、各社の粉ミルク製品ごとに１回分のミルクを作るのに必要な粉ミルクの量、及び粉ミルクの嵩高さが若干異なるので、計量の精度をより向上させるためには、計量の対象となる粉ミルクの種類に応じて、目盛７の位置が異なる粉ミルク用計量器１０を使用することが好ましい。
【００３７】
また、収容部１は、内部に取り入れた粉ミルクを視認するための構成が少なくとも一部にあれば、全体の素材は特に限定されず、透光性の有無も問わない。例えば、プラスチックは軽くて割れにくく、本粉ミルク用計量器１０の持ち運びや携帯に便利である。一方、ガラスは傷つきにくく、本粉ミルク用計量器１０を清潔に保ちやすいという利点がある。収容部１をプラスチック製とする場合は、例えば、ポリエチレン（ＰＥ）、ポリプロピレン（ＰＰ）、ポリエチレンテレフタラート（ＰＥＴ）、塩化ビニル、ポリスチレン、ポリカーボネート、アクリル樹脂、ＡＳ樹脂、ＡＢＳ樹脂、フェノール樹脂、ポリアミドを用いることができる。
【００３８】
＜ガイド部＞
ガイド部５の側壁１５は、中心軸を基準にして、収容部１の側壁１１よりも内側に向かって傾斜しており、側壁１５の内部に形成された空洞は、図中のＸＹ平面から見て断面略台形状となっている。上述のように、ガイド部５の先端には小径の取入口２が開口しており、収容部１との境界線であるエッジ９に近づくほどガイド部５の直径は大きくなる。
【００３９】
このようなガイド部５は、内側に向かって傾斜する爪の役割を果たし、側壁１５の内側に粉ミルクを保持する機能を有する。ガイド部５によって粉ミルクが保持されるので、収容部１内に取り入れた粉ミルクが取入口２から溢れにくくなり、計量した粉ミルクを収容部１内に留めることができる。
【００４０】
なお、本実施形態では、取入口２の断面形状を円形としたが、これは特に限定されるものではなく、楕円や多角形等の断面形状にした場合でも、内側に向かって傾斜するガイド部５により粉ミルクを保持することが可能である。
【００４１】
＜取出口＞
収容部１の後端には、取入口２よりも大径の取出口３が開口している。粉ミルク用計量器１０内に取り入れた粉ミルクは、この取出口３から哺乳瓶３０（図６を参照）等に移し替えられる。
【００４２】
＜収容部及びガイド部の傾斜角度及び寸法＞
上記構成からなる本実施形態の粉ミルク用計量器１０は、収容部１及びガイド部５の構成に特徴があり、収容部１及びガイド部５の側壁１１、１５を傾斜させることで、粉ミルクの取り入れ及び取り出しを良好にしている。以下、収容部１及びガイド部１５の好ましい傾斜角度及び寸法について、図２を参照しつつ説明する。
【００４３】
図２において、中心軸に対するガイド部５の側壁１５の傾き角をガイド傾斜角度α、同じく中心軸に対する収容部１の側壁１１の傾き角を収容部傾斜角度βとする。また、ガイド部５の側壁１５の長さをガイド長さＡとする。
【００４４】
これらガイド傾斜角度α、収容部傾斜角度β、ガイド長さＡは、粉ミルクの取り入れ及び取り出しに影響を与えるものであり、好適な値に設定することで粉ミルクの計量が良好となる。具体的には、ガイド傾斜角度αを１５°〜６０°、収容部傾斜角度βを１°〜３０°、ガイド長さＡを１〜１０ｍｍの範囲にすることが好ましい。
【００４５】
ガイド傾斜角度αを１５°〜６０°の範囲内とすることで、収容部１内に取り入れた粉ミルクの保持が良好になるとともに、収容部１内から粉ミルクが取り出しやすくなる。但し、ガイド傾斜角度αが６０°を超えると、容器２０内の粉ミルク（図３を参照）に挿し込むときの抵抗が増えてしまう。
【００４６】
また、取入口２の面積が小さいほど、少量の粉ミルクを収容部１内に保持することができ、好ましくは５０〜１０００ｍｍ２の範囲内、より好ましくは１００〜５００ｍｍ２の範囲内にするとよい。取入口２の面積が５０ｍｍ２より小さいと、容器２０内の粉ミルクに挿し込むときの抵抗が増えてしまい、１回の挿し込みで収容部１内に取り入れられる粉ミルクの量が少なくなってしまう。一方、取入口２の面積が１０００ｍｍ２を超えると、収容部１内に粉ミルクを安定的に保持できなくなる。
【００４７】
＜取出口の変更例＞
図１（ａ）に示す粉ミルク用計量器１０の取出口３は、収容部１の中心軸に直交する水平な略円形であるが、これに限定されるものではない。例えば、図１（ｂ）に示すように、収容部１の中心軸に直交する平面を基準にして、斜めに開口する略楕円形の取出口３としてもよい。このような構成とした場合は、楕円形断面の突出する先端部３ａを哺乳瓶３０の口に挿入し、収容部１に取入れた粉ミルクを哺乳瓶３０の中に導くことができ、比較的口径の小さい哺乳瓶３０に粉ミルクを溢さずに移し入れることができる。
【００４８】
＜計量の対象となる粉体＞
粉ミルク用計量器１０により計量される育児用の粉ミルクは、嵩高い粉体である。本実施形態における嵩高い粉体とは、緩容積と密容積の差が緩容積の１０％以上の粉体をいう（例えば、粉ミルクは２０〜３０％）。
【００４９】
ここで、緩容積とは、メスシリンダーなどの容器内に入れた粉体を、衝撃を与えない状態で測定した一定重量当たりの容積をいう。また、密容積とは、粉体を入れたメスシリンダーなど容器を鼓打（タップ）した後に測定した一定重量当たりの容積をいう。
【００５０】
なお、本発明に係る粉体計量器は、育児用調製粉乳、フォローアップミルク、その他の特殊乳（例えば、大豆乳、タンパク分解乳等）などの粉ミルクの計量に広く用いることができる。さらに、本発明に係る粉体計量器により計量可能な粉体は、本実施形態で例示した粉ミルクに限定されるものではない。少なくとも上記の定義に該当するような、嵩高い粉体であれば、粉ミルク以外の食品用粉体、医薬又は医療用粉体、工業用粉体などに適用することもできる。粉ミルク以外の食品用粉体として、例えば、小麦粉、粉砂糖、ココア、コーヒー、紅茶、粉末ジュース、粉末スープ等を計量することが可能である。
【００５１】
＜粉ミルクの計量方法＞
次に、上述した本実施形態の粉ミルク用計量器１０を用いた粉ミルクの計量方法について、図３〜図５を参照しつつ説明する。
【００５２】
図３及び図４（ａ）において、缶などの容器２０に収容された粉ミルクを計量する場合は、粉ミルク用計量器１０の取入口２を容器２０内の粉ミルクの中に挿し込む。すると、粉ミルク用計量器１０の挿し込んだ分量の粉ミルクが、収容部１（ガイド部５を含む）内に取り入れられる。
【００５３】
収容部１には、「１００ｍｌ」、「１５０ｍｌ」及び「２００ｍｌの目盛７、７、７が付してあるので、収容部１内に取り入れた粉ミルクの表面を、いずれかの目盛７に到達させることで、所望する量の粉ミルクを計り取ることができる。
【００５４】
１回の挿し込みで、所望する量の粉ミルクを収容部１内に取り入れることができる場合は、粉ミルク用計量器１０を容器２０内の粉ミルクから抜き取り、収容部１の取出口３側を下向きに傾けるだけで、計り取った粉ミルクを取出口３から哺乳瓶３０の中へ簡単に移し入れることができる（図５（ｃ）及び図６を参照）。
【００５５】
一方、１回の挿し込みで、所望する量の粉ミルクを収容部１内に取り入れることができない場合は、図４（ａ）〜（ｄ）に示すように、粉ミルク用計量器１０の挿し込み及び抜き取り（挿抜）を繰り返せばよい。これら図面に示すように、粉ミルク用計量器１０を容器２０内の粉ミルクに挿抜する度に、所定量の粉ミルクが収容部１内に取り入れられるので、このような挿抜操作の繰り返しにより、図５（ａ）及び（ｂ）に示すように、所望する量の粉ミルクを簡単かつ迅速に計り取ることができる。
【００５６】
その後、図５（ｃ）及び図６に示すように、収容部１の取出口３側を下向きに傾けるだけで、計り取った粉ミルクを取出口３から哺乳瓶３０の中へ簡単に移し入れることができる。すなわち、本実施形態では、収容部１の側壁１１を、取入口２から取出口３に向かって末広がりに傾斜させた構成としてあるので、収容部１の取出口３側を下向きに傾けると、計り取った粉ミルクが容積の大きい取出口３側へ移動し、計り取った粉ミルクに作用していた保持力（容積の小さい取入口２側との摩擦力や圧力など）を簡単に解除することができる。したがって、本実施形態の粉ミルク用計量器１０によれば、容積の小さい取入口２側で計り取った粉ミルクに保持力を及ぼすことができるとともに、容積の大きい取出口３側を下向きに傾けるだけで、計り取った粉ミルクをスムーズに取り出すことができる。
【００５７】
＜粉ミルクを計量する際の微調整方法＞
粉ミルク用計量器１０内に取入れた粉ミルクを、より正確に計量するための微調整方法について、図５〜図７を参照しつつ、具体例を挙げて説明する。
【００５８】
例えば、収容部１内に取り入れた粉ミルクの表面を所望する目盛７に合わせるとき、粉ミルクの表面が斜めになってしまい、目盛７に合わせづらい場合がある。このような場合は、図７に示すように、粉ミルク用計量器１０の取入口２を、容器２０内の粉ミルクに接触させて塞ぎ、取入口２側を支点にして、粉ミルク用計量器１０の取出口３側を左右に振ればよい。これにより、収容部１内の粉ミルクの表面が目盛７と平行になり、粉ミルクをより正確に計量することができる。
【００５９】
例えば、収容部１内に取り入れた粉ミルクの量が僅かに少なく、所望する目盛７に達しない場合がある。このような場合は、図８に示すように、粉ミルク用計量器１０の取入口２を、容器２０内の粉ミルクに軽く押し付けながら、粉ミルク用計量器１０を左右に回せばよい。これにより、収容部１内に僅かな量の粉ミルクを取り入れることができ、粉ミルクをより正確に計量することが可能となる。
【００６０】
上記とは逆に、例えば、収容部１内に取り入れた粉ミルクの量が僅かに多く、所望する目盛７を超えてしまう場合がある。このような場合は、図９に示すように、粉ミルク用計量器１０の取入口２を、容器２０内の粉ミルクから離し、取出口３側を支点にして、粉ミルク用計量器１０の取入口２側を左右に振ればよい。これにより、取入口２から僅かな量の粉ミルクを落下させることができ、収容部１内の粉ミルクの表面を所望する目盛７に合わせることが可能となる。このとき、粉ミルク用計量器１０内の粉ミルクの表面が、所望する目盛７よりも下がってしまった場合には、上述した図８の微調整方法を実施して、僅かな量の粉ミルクを収容部１内に取り入れればよい。
【実施例】
【００６１】
＜第１実施例＞
形状、寸法の異なる様々な粉ミルク用計量器を作成し、粉ミルクの計量試験を行った。計量試験の条件、結果及び評価を下記表１に示す。なお、この計量試験で用いた粉ミルクは、出願人である和光堂株式会社の製品名「はいはい」（育児用調製粉乳）である。
【００６２】
【表１】
2014025703.tif 000003
【００６３】
第１実施例では、取入口、収容部、ガイド部の条件が異なる実施例１〜１３の粉ミルク用計量器を作成して、収容部内に保持することができた粉ミルクの高さ（ｍｍ）を測定した。より少ない量の粉ミルクを保持することができたものから順に「◎（優）」、「○（良）」、「△（可）」と評価した。すなわち、収容部内に取り入れた粉ミルクは、収容部の側壁内面との摩擦力によって保持されるので、より小さい接触面積で粉ミルクを保持できたもの（すなわち、収容部内に保持できた粉ミルクの高さがより低いもの）を、高く評価することにした。
【００６４】
＜＜実施例１、２＞＞
実施例１、２には、収容部傾斜角度β＝０°の粉ミルク用計量器を使用した。これら粉ミルク用計量器には、ガイド部を設けていない。すなわち、実施例１及び２の粉ミルク用計量器は、取入口と取出口との直径が等しい単純な円筒状である。実施例１では取入口の直径を１５ｍｍ、実施例２では取入口の直径を１８ｍｍに設定した。
【００６５】
粉ミルクの計量試験の結果、実施例１の粉ミルク用計量器は、高さ８２ｍｍ以上（○）の粉ミルクを収容部内に保持することができた。一方、実施例２の粉ミルク用計量器は、高さ１２０ｍｍ以上（△）の粉ミルクを収容部内に保持することができた。実施例１、２の結果、取入口及び収容部の直径が小さいほど、粉ミルクの保持が良好となり、より少ない量の粉ミルクを保持できることが分かる。
【００６６】
＜＜実施例３〜７＞＞
実施例３〜７には、収容部傾斜角度βが８°、１３°、２０°の粉ミルク用計量器を使用した。これら粉ミルク用計量器には、ガイド部を設けていない。実施例３では取入口の直径を１５ｍｍ、実施例４では取入口の直径を１８ｍｍ、実施例５では取入口の直径を２２ｍｍ、実施例６では取入口の直径を２６ｍｍ、実施例７では取入口の直径を３０ｍｍに設定した。
【００６７】
粉ミルクの計量試験の結果、実施例３が高さ４６ｍｍ以上（◎）、実施例４が高さ５３ｍｍ以上（○）、実施例５が高さ６０ｍｍ以上（○）、実施例６が高さ７２ｍｍ以上（○）、実施例７が高さ９５ｍｍ以上（○）の粉ミルクを収容部内に保持することができた。
【００６８】
取入口の直径が等しい実施例１と実施例３（１５ｍｍ）、実施例２と実施例４（１８ｍｍ）の結果を比較すると、収容部傾斜角度βをつけることで、粉ミルクの保持が良好となり、より少ない量の粉ミルクを保持できることが分かる。
【００６９】
但し、取入口の直径及び収容部傾斜角度βが異なる実施例３〜７を比較すると、取入口及び収容部の直径が大きくなるほど、保持可能な粉ミルクの量が多くなってしまう。一度により多くの粉ミルクを収容部内に取り入れることができる点では、収容部の容積が大きい実施例７、６、５が有利であるが、より少ない量の粉ミルクを保持できる点では、実施例３、４が有利である。
【００７０】
＜＜実施例８〜１２＞＞
実施例８〜１２には、収容部傾斜角度β＝０°でガイド部を設けた粉ミルク用計量器を使用した。すなわち、実施例８〜１２の粉ミルク用計量器は、直径が均一の単純な円筒状の収容部の一端に、取入口の直径、ガイド長さＡ、ガイド傾斜角度αが異なるガイド部を設けた構成となっている。
【００７１】
なお、実施例１〜７との比較するための便宜上、表１の「取入口」の欄には、実施例８〜１２の収容部の直径「１５ｍｍ」、「１８ｍｍ」、「２２ｍｍ」、「２６ｍｍ」、「３０ｍｍ」が記載してある。これら実施例８〜１２のガイド部の取入口は、収容部の直径よりも小さい寸法である。実際には、実施例８のガイド部の取入口を約１２ｍｍ、実施例９のガイド部の取入口を約１５ｍｍ、実施例１０のガイド部の取入口を約１９ｍｍ、実施例１１のガイド部の取入口を約２３ｍｍ、実施例１２のガイド部の取入口を約２６ｍｍに設定した。
【００７２】
そして、実施例８及び９では、ガイド長さＡを２ｍｍ、ガイド傾斜角度αを２８°に設定した。実施例１０では、ガイド長さＡを３ｍｍ、ガイド傾斜角度αを４２°に設定した。実施例１１では、ガイド長さＡを３ｍｍ、ガイド傾斜角度αを３６°に設定した。実施例１２では、ガイド長さＡを４ｍｍ、ガイド傾斜角度αを４２°に設定した。
【００７３】
粉ミルクの計量試験の結果、実施例８が高さ２０ｍｍ以上（◎）、実施例９が高さ２３ｍｍ以上（◎）、実施例１０が高さ２８ｍｍ以上（◎）、実施例１１が高さ３６ｍｍ以上（◎）、実施例１２が高さ４３ｍｍ以上（◎）の粉ミルクを収容部内に保持することができ、いずれも良好であった。実施例８〜１２の結果、より少量の粉ミルクを収容部内に保持するためには、収容部の先端にガイド部を設けることが有効であることが分かる。
【００７４】
＜＜実施例１３＞＞
実施例１３には、収容部傾斜角度β＝８°でガイド部を設けた粉ミルク用計量器を使用した。実施例１３のガイド部は、その取入口の直径を１９ｍｍ、ガイド長さＡを３ｍｍ、ガイド傾斜角度αを３６°に設定した。
【００７５】
粉ミルクの計量試験の結果、実施例１３の粉ミルク用計量器は、高さ２２ｍｍ以上（◎）の粉ミルクを収容部内に保持することができ、良好な結果が得られた。収容部の直径及びガイド長さＡが等しい実施例１０と比較すると、実施例１３の方が、高さ６ｍｍほど少ない粉ミルクを保持することができる。
【００７６】
また、最も良好な結果が得られた実施例８と比較しても、実施例１３は、保持可能な粉ミルクの高さが２ｍｍほど多いだけである。さらに、実施例８は、その取入口の直径が１５ｍｍと比較的小さく、その収容部傾斜角度βが０°であり、より多くの粉ミルクを計量したい場合には、その全長を長くする必要がある。これに対し、実施例１３は、取入口の直径が２２ｍｍと比較的大きく、その収容部傾斜角度βが８°であり、その全長を長くしなくても、比較的多くの粉ミルクを計量することができる。このように、実施例１３によれば、収容部傾斜角度βとガイド部とを組み合わせることで、少ない量から多い量まで様々な量の粉ミルクを保持できるようになることが分かる。
【００７７】
以上の第１実施例の結果をまとめると、より少ない量の粉ミルクを保持する観点では、粉ミルク用計量器にガイド部を設けることが最も有効であり、ガイド部の取入口を適度な大きさに設定するとともに、適度な収容部傾斜角度βをつけることで、さらに少ない量の粉ミルクの保持が可能となる。
【００７８】
＜第２実施例＞
被験者１０人に、それぞれ計量スプーンによる粉ミルクの計量と、実施例１１の粉ミルク用計量器を用いた粉ミルクの計量とを行わせ、各計量に要した時間（秒）と、計量した粉ミルクの重量（ｇ）とを測定した。被験者１０人が計量する粉ミルクの重量は２６ｇに設定した。この２６ｇは、２００ｍｌのミルクを作るのに必要な粉ミルクの量であり、本実施例で用いる計量スプーンの１０杯分に相当する。第２実施例の計量試験の結果を、下記表２に示す。なお、この計量試験で用いた粉ミルクは、出願人である和光堂株式会社の製品名「はいはい」（育児用調製粉乳）である。
【００７９】
【表２】
2014025703.tif 000004
【００８０】
上記表２に示すとおり、計量スプーンによる計量時間は平均約３８秒であった。これに対して、実施例１１の粉ミルク用計量器による計量時間は平均約２０秒であった。したがって、実施例１１の粉ミルク用計量器を用いた場合は、計量スプーンと比較して、粉ミルクの計量時間が約半分に短縮された。また、計量スプーンによる計量重量は平均約２６．３ｇであった。これに対して、粉ミルク用計量器１０による計量時間は平均約２５．９ｇであり、粉ミルクの計量精度は計量スプーンとほぼ変わらない。このような第２実施例の計量試験の結果、実施例１１の粉ミルク用計量器を用いれば、計量スプーンと変わらない計量精度で、計量時間を約半分に短縮することができる。
【符号の説明】
【００８１】
１  収容部
２  取入口
３  取出口
５  ガイド部
７  目盛
９  エッジ
１０  粉ミルク用計量器
１１  収容部の側壁
１５  ガイド部の側壁
２０  容器
３０  哺乳瓶
【図１】
2014025703.tif 000005
【図２】
2014025703.tif 000006
【図３】
2014025703.tif 000007
【図４】
2014025703.tif 000008
【図５】
2014025703.tif 000009
【図６】
2014025703.tif 000010
【図７】
2014025703.tif 000011
【図８】
2014025703.tif 000012
【図９】
2014025703.tif 000013